(57)【要約】【課題】商品陳列用ボードの陳列面を、簡易にしかも低コストで前後方向に区画でき、且つ陳列の演出を高めることができる商品陳列用ボードを提供すること。【解決手段】商品の陳列に必要な所定の表面積を有する平板状のボード本体１０と、商品の仕切り板又は商品の陳列面となる板状物２１ａを備え、ボード本体１０の天面１９の全域又は一部に、板状物２１が天面に対して直立姿勢をとる垂直溝１２と、板状物が天面に対して後方下り傾斜姿勢をとる第１傾斜溝１３ａと、板状物が天面に対して前方下り傾斜姿勢をとる第２傾斜溝１３ｂが形成される商品陳列用ボード１である。【選択図】図２
0003149607.tif 000002
【実用新案登録請求の範囲】
【請求項１】
商品の陳列に必要な所定の表面積を有する平板状のボード本体と、商品の仕切り板又は商品の陳列面となる板状物を備え、
取り付けられる前記板状物が天面に対して直立姿勢をとる所定の溝幅を有する垂直溝と、取り付けられる前記板状物が天面に対して後方下り傾斜姿勢をとる所定の溝幅を有する第１傾斜溝と、取り付けられる前記板状物が天面に対して前方下り傾斜姿勢をとる所定の溝幅を有する第２傾斜溝とが、前記ボード本体の天面の全域又は一部に形成されるものであり、
前記垂直溝、第１傾斜溝及び第２傾斜溝は、該垂直溝の底面と該第１傾斜溝の底面と該第２傾斜溝の底面とが連続することなく、独立して形成されるものであって、該垂直溝と該第１傾斜溝と該第２傾斜溝の開口が共通する複合溝であることを特徴とする商品陳列用ボード。
【請求項２】
更に縦溝が、前記ボード本体の天面の全域又は一部に形成されることを特徴とする請求項１記載の商品陳列用ボード。
【請求項３】
前記縦溝は、該ボード本体の天面の全域に亘り、左右方向に所定のピッチで多数形成されることを特徴とする請求項１又は２記載の商品陳列用ボード。
【請求項４】
前記第１傾斜溝を形成する後方の内壁の上端の角が面取りされていることを特徴とする請求項１〜３のいずれか１項に記載の商品陳列用ボード。
【請求項５】
前記第２傾斜溝を形成する前方の内壁の上端の角が面取りされていることを特徴とする請求項１〜３のいずれか１項に記載の商品陳列用ボード。
【請求項６】
前記ボード本体の天面が、前方下がり傾斜となるように設置されることを特徴とする請求項１〜５のいずれか１項記載の商品陳列用ボード。
【考案の詳細な説明】
【技術分野】
【０００１】
本考案は、商品の仕切り板又は商品の陳列面となる板状物を、ひとつのボード本体に形成された垂直溝と２つの傾斜溝に自在に組み付けることが可能な商品陳列用ボードに関するものである。
【背景技術】
【０００２】
特許第４１１６０３６号公報には、商品の陳列に必要な所定の表面積を有する平板状のボード本体と、商品の仕切り板又は商品の陳列面となる板状物を備え、取り付けられる前記板状物が天面に対して直立姿勢をとる所定の溝幅を有する垂直溝と、取り付けられる前記板状物が天面に対して傾斜姿勢をとる傾斜溝が、前記ボード本体の天面の全域又は一部に形成されるものであり、前記垂直溝と傾斜溝は、前記傾斜溝を該垂直溝を形成する一方の内壁のやや上方から斜め下方に所定の溝幅で切り欠いて形成し、該垂直溝の底面と該傾斜溝の底面とが連続することなく、独立して形成されるものであって、垂直溝と傾斜溝の開口が共通すると共に、垂直溝を形成する他方の内壁の上端の角が面取りされた複合溝である商品陳列用ボードが開示されている。
【０００３】
特許第４１１６０３６号公報の商品陳列用ボードによれば、１つのボード本体の陳列面に、同じ形状の商品の仕切り板又は商品の陳列面となる板状物を、天面に対して垂直姿勢又は傾斜姿勢の２通りの方法で差し込むことができるため、商品陳列用ボードを水平設置及び前方下り傾斜設置を組み合わせることで、趣きのある陳列面を演出できる。また、複数の板状物は全て同一形状物を使用することができるため、コストを低減でき、また保管も容易である。また、商品陳列用ボードに横溝と縦溝からなる碁盤目溝を形成し、第１板状物又は第２板状物と、第３板状物をそれぞれ２以上使用し、ボード本体の天面上に囲み部を形成すれば、陳列の演出を更に高めることができる。
【先行技術文献】
【特許文献】
【０００４】
【特許文献１】特許第４１１６０３６号公報
【考案の概要】
【考案が解決しようとする課題】
【０００５】
しかしながら、近年、商品の陳列を、簡易な方法で、消費者の購買意欲を高めるように効果的に演出する要求は止まるところを知らない。特許第４１１６０３６号公報の商品陳列用ボードの複合溝は、取り付けられる商品仕切り板が垂直姿勢をとり、且つ傾斜溝は、取り付けられる商品仕切り板が一方向への傾斜姿勢をとるだけであり、陳列の演出を高める要求には必ずしも満足するものではなかった。そこで、商品陳列用ボードの水平使用及び傾斜使用において、板状物を利用した従来には無い、効果的な陳列の演出ができる商品陳列用ボードの開発が望まれていた。
【０００６】
従って、本考案の目的は、商品陳列用ボードの陳列面を、簡易にしかも低コストで前後方向に区画でき、且つ陳列の演出を高めることができる商品陳列用ボードを提供することにある。  
【課題を解決するための手段】
【０００７】
すなわち、本考案は、商品の陳列に必要な所定の表面積を有する平板状のボード本体と、商品の仕切り板又は商品の陳列面となる板状物を備え、取り付けられる前記板状物が天面に対して直立姿勢をとる所定の溝幅を有する垂直溝と、取り付けられる前記板状物が天面に対して後方下り傾斜姿勢をとる所定の溝幅を有する第１傾斜溝と、取り付けられる前記板状物が天面に対して前方下り傾斜姿勢をとる所定の溝幅を有する第２傾斜溝とが、前記ボード本体の天面の全域又は一部に形成されるものであり、前記垂直溝、第１傾斜溝及び第２傾斜溝は、該垂直溝の底面と該第１傾斜溝の底面と該第２傾斜溝の底面とが連続することなく、独立して形成されるものであって、該垂直溝と該第１傾斜溝と該第２傾斜溝の開口が共通する複合溝である商品陳列用ボードを提供するものである。
【考案の効果】
【０００８】
本考案の商品陳列用ボードによれば、１つのボード本体の陳列面に、同じ形状の商品の仕切り板又は商品の陳列面となる板状物を、天面に対して垂直姿勢、一方向への傾斜姿勢及び他方向への傾斜姿勢の３通りの方法で差し込むことができるため、商品陳列用ボードを水平設置、前方下り傾斜設置及び後方下り傾斜設置を組み合わせることで、趣きのある陳列面を演出できる。また、複数の板状物は全て同一形状物を使用することができるため、コストを低減でき、また保管も容易である。
【図面の簡単な説明】
【０００９】
【図１】本例の商品陳列用ボードの斜視図である。
【図２】図１の側面図である。
【図３】本例の商品陳列用ボードで使用するボード本体の斜視図である。
【図４】図３の側面図である。
【図５】本例の商品陳列用ボードの他の陳列形態を示す斜視図である。
【図６】本例の商品陳列用ボードの他の陳列形態を示す斜視図ある。
【図７】本例の商品陳列用ボードの他の陳列形態を示す斜視図である。
【図８】本例の商品陳列用ボードの他の陳列形態を示す斜視図ある。
【図９】本例の商品陳列用ボードの他の陳列形態を示す斜視図である。
【図１０】他の実施の形態の商品陳列用ボードのボード本体の斜視図である。
【考案を実施するための形態】
【００１０】
次に、本考案の実施の形態における商品陳列用ボードを図１〜図６を参照して説明する。図１は本例の商品陳列用ボードの斜視図、図２は図１の側面図、図３は本例の商品陳列用ボードで使用するボード本体の斜視図、図４は図３の側面図、図５は本例の商品陳列用ボードの他の陳列形態を示す斜視図、図６は本例の商品陳列用ボードの他の陳列形態を示す斜視図ある。本明細書中、符号Ｘは前側、すなわち、顧客側を言い、符号Ｙは後側を言う。また、左右方向は顧客側から見る方向を言う。また、第１傾斜溝及び第２傾斜溝の説明における前方下り傾斜や後方下り傾斜は、ボード本体１０が水平面に設置された状態における方向を言う。
【００１１】
商品陳列用ボード１は、商品の陳列に必要な所定の表面積を有する平板で且つ矩形状のボード本体１０と、商品Ａの仕切り板又は商品の陳列面となる板状物２１ａを備える。ボード本体１０の厚み方向における上部には、複合溝１７と縦溝１１が形成されている。複合溝１７は、ボード本体１０の天面１９の全域に亘り、前後方向に所定のピッチで多数形成されている。また、縦溝１１は、ボード本体１０の天面１９の全域に亘り、左右方向に所定のピッチで多数形成されている。なお、符号Ａは陳列商品が入った箱状容器であるが、図面では陳列商品の描写を省略した。
【００１２】
複合溝１７は、取り付けられる板状物２１ｃが天面１９に対して直立姿勢をとる所定の溝幅を有する垂直溝１２と、取り付けられる板状物２１ｂが天面１９に対して後方下り傾斜姿勢をとる所定の溝幅を有する第１傾斜溝１３ａと、取り付けられる板状物２１ａが天面１９に対して前方下り傾斜姿勢をとる所定の溝幅を有する第２傾斜溝１３ｂとが、ボード本体１０の天面の全域又は一部に形成されるものである。
【００１３】
また、垂直溝１２、第１傾斜溝１３ａ及び第２傾斜溝１３ｂは、垂直溝１２の底面と第１傾斜溝１３ａの底面と第２傾斜溝１３ｂの底面とが連続することなく、独立して形成されるものであって、垂直溝１２と第１傾斜溝１３ａと第２傾斜溝１３ｂの開口１４が共通するものである。
【００１４】
すなわち、垂直溝１２は、平板で且つ矩形状の板状物２１ｃが嵌め込まれた際、板状物２１ｃを天面１９に対して垂直姿勢とすることができる形状のものであり、前後方向における所定の溝幅を天面１５に対して垂直方向に所定の深さを有し、左右方向に連続する溝である。
【００１５】
第１傾斜溝１３ａは、平板で且つ矩形状の板状物２１ｂが嵌め込まれた際、板状物２１ｂを天面１９に対して後方下り傾斜姿勢とすることができる形状のものであり、前後方向における所定の溝幅を天面１９に対して傾斜方向に所定の深さを有し、左右方向に連続する溝である。第１傾斜溝１３ａの鉛直方向に対する傾斜角（β）としては、特に制限されないが、２０〜７０度が好ましく、特に４０〜６０度が好ましい。
【００１６】
第２傾斜溝１３ｂは、平板で且つ矩形状の板状物２１ａが嵌め込まれた際、板状物２１ａを天面１９に対して前方下り傾斜姿勢とすることができる形状のものであり、前後方向における所定の溝幅を天面１９に対して傾斜方向に所定の深さを有し、左右方向に連続する溝である。第２傾斜溝１３ｂの鉛直方向に対する傾斜角（β）としては、特に制限されないが、２０〜７０度が好ましく、特に４０〜６０度が好ましい。第２傾斜溝１３ｂの傾斜角と第１傾斜溝１３ａの傾斜角は同じであっても、異なっていてもよい。第２傾斜溝１３ｂの傾斜角と第１傾斜溝１３ａの傾斜角が異なっていると、更に趣きのある陳列形態を演出できる。
【００１７】
また、第１傾斜溝１３ａを形成する後方の内壁の上端の角が面取りされている（符号１８ａ）。面取り１８ａは、面取りされた面が第２傾斜溝１３ｂの溝壁の下方側の内壁面と連続するように形成するのがよい。これにより、第２傾斜溝１３ｂに板状物２１ａを設置した場合、板状物２１ａは第２傾斜溝１３ｂと面取りされた面との両方で支持されるため、板状物２１ａの設置が安定する。
【００１８】
また、第２傾斜溝１３ｂを形成する前方の内壁の上端の角が面取りされている（符号１８ｂ）。面取り１８ｂは、面取りされた面が第１傾斜溝１３ａの溝壁の下方側の壁面と連続するように形成するのがよい。これにより、第１傾斜溝１３ａに板状物２１ｂを設置した場合、板状物２１ｂは第１傾斜溝１３ａと面取りされた面との両方で支持されるため、板状物２１ｂの設置が安定する。
【００１９】
縦溝１１は、平板で且つ矩形状の仕切り板（不図示）が嵌め込まれた際、仕切り板を天面１９に対して垂直姿勢とすることができる形状のものであり、左右方向における所定の溝幅を天面１９に対して垂直方向に所定の深さを有し、前後方向に連続する垂直溝である。すなわち、商品陳列用ボード１は、ボード本体１０の天面１９の全域に亘り縦溝１２と複合溝１７が所定の間隔で碁盤目状に多数形成されたものである。
【００２０】
板状物２１ａ〜２１ｃの形状としては、特に制限されず、ボード本体１０の大きさ、使用目的あるいは陳列する商品の大きさなどにより適宜決定されるが、横長の矩形状の板状物が好ましく、更に、板状物２１ａ〜２１ｃをすべて同じ形状とすることが、使い勝手がよく、且つ製造コストを低減できる点で好ましい。
【００２１】
また、ボード本体１０としては、１枚もの、複数枚を並べて設置し高面積としたもの及び複数枚を接合したボード等が挙げられる。また、天面に傾斜角を付ける方法としては、特に制限されず、所定の傾斜面を有する基台に設置する方法及び後方の垂直壁又は桟部材３１に立て掛ける方法等が挙げられる。
【００２２】
商品陳列用ボード１の使用方法の一例を図２、図５〜図９を参照して説明する。図２、図５及び図６の商品陳列用ボード１は、傾斜角αで前方下り傾斜に設置される。図２の商品陳列用ボード１は、複数枚の板状物２１ａを第２傾斜溝１３ｂに前後方向に対して所定のピッチで差し込み、陳列面を形成したものである。これにより、板状物２１ａは、陳列商品Ａを傾斜状に載置する陳列面として機能する。
【００２３】
図５の商品陳列用ボード１は、複数枚の板状物２１ｂを第１傾斜溝１３ａに前後方向に対して所定のピッチで差し込み、陳列面を形成したものである。これにより、板状物２１ｂは、陳列商品Ａを水平状に載置する陳列面として機能する。
【００２４】
図６の商品陳列用ボード１は、複数枚の板状物２１ｃを垂直溝１２に前後方向に対して所定のピッチで差し込み、商品の転落を防止する壁面を形成したものである。これにより、ボード本体１０の天面１９を陳列商品Ａの載置面とする一方、板状物２１ｃは、陳列商品Ａの前方移動規制面として機能する。
【００２５】
図７〜図９の商品陳列用ボード１は、鉛直姿勢に設置したものである。すなわち、図７の商品陳列用ボード１は、複数枚の板状物２１ａを第２傾斜溝１３ｂに上下方向に対して所定のピッチで差し込み、陳列面を形成したものである。これにより、板状物２１ａは、陳列商品Ａを後方下り傾斜状に載置する陳列面として機能する。
【００２６】
図８の商品陳列用ボード１は、複数枚の板状物２１ｄを第２傾斜溝１３ｂに上下方向に対して所定のピッチで差し込み、陳列面を形成したものである。板状物２１ｄの第２傾斜溝１３ｂに差し込まれる基端部は、下方へ僅かに屈曲させて係合片２１１としている。これにより、係合片２１１が第２傾斜溝１３ｂに嵌め込まれると、板状物２１ｄの本体は水平状となり、板状物２１ｄは陳列商品Ａを水平状に載置する陳列面として機能する。なお、板状物２１ｄの先端には鉛直板２１２を形成すれば、商品の転落を防止できる。
【００２７】
図９の商品陳列用ボード１は、複数枚の板状物２１ｅを第２傾斜溝１３ｂに上下方向に対して所定のピッチで差し込み、陳列面を形成したものである。板状物２１ｅの第２傾斜溝１３ｂに差し込まれる基端部は、下方へ直角に屈曲させて係合片２１１としている。これにより、係合片２１１が第２傾斜溝１３ｂに嵌め込まれると、板状物２１ｅの本体は前方下り傾斜状となり、板状物２１ｅは陳列商品Ａを前方下り傾斜状に載置する陳列面として機能する。
【００２８】
本例の商品陳列用ボード１によれば、板状物２１ａ及び２１ｃは、陳列商品の仕切り板又は転落防止板として機能し、板状物２１ｂは、陳列商品Ａを水平状に載置する陳列面として機能する。このように、商品陳列用ボード１によれば、１つのボード本体１０の陳列面に、同じ形状の板状物を、天面に対して垂直姿勢又は２つの傾斜姿勢の３通りの方法で差し込むことができ、２つの簡易な部材にも拘わらず、趣きのある陳列面を演出できる。また、複数の板状物は全て同一物を使用することができるため、コストを低減でき、また保管も容易である。
【００２９】
図２、図５及び図６の設置形態は、ひとつの商品陳列用ボード１にひとつの設置形態としてもよく、また、ひとつの商品陳列用ボード１に図２、図５及び図６の全ての設置形態を実現させてもよい。
【００３０】
次に、他の実施の形態の商品陳列用ボードを図７を参照して説明する。図７において、図１〜図６と同一構成要素には同一符号を付してその説明を省略し、異なる点について、主に説明する。すなわち、他の実施の形態の商品陳列用ボード１ａにおいて、実施の形態の商品陳列用ボード１と異なる点は、前後方向に延出する縦溝１４の形成を省略したものである。このような形態は、陳列商品の左右方向の区画ができないものの、図１〜図６の商品陳列用ボード１と同様の効果を奏する。また、同様に、種々の形状を呈する商品を同じ陳列面に陳列することができる。
【産業上の利用可能性】
【００３１】
本考案の商品陳列用ボードは、部品点数が少ない簡易な構造であるにも係らず、スーパー、百貨店などの青果用冷ケースやワゴン等において、オレンジやリンゴ等の丸物商品、ねぎやごぼう等の長物商品又はほうれん草やサラダ菜等の葉物商品などを、ひとつのボード本体面に商品の種別ごとに趣きやボリューム感を持たせて陳列ができるため、販売促進に貢献できる。
【符号の説明】
【００３２】
１、１ａ      商品陳列用ボード
１０      ボード本体
１１      縦溝
１２      垂直溝
１３ａ    第１傾斜溝
１３ｂ    第２傾斜溝
１４      開口
１７      複合溝
１８ａ、１８ｂ    面取り部
１９      天面
２１ａ〜２１ｅ      板状物
Ａ        陳列商品
【図１】
0003149607.tif 000003
【図２】
0003149607.tif 000004
【図３】
0003149607.tif 000005
【図４】
0003149607.tif 000006
【図５】
0003149607.tif 000007
【図６】
0003149607.tif 000008
【図７】
0003149607.tif 000009
【図８】
0003149607.tif 000010
【図９】
0003149607.tif 000011
【図１０】
0003149607.tif 000012